(57)【特許請求の範囲】
【請求項１】
端部に連結材が固定されている鋼管鉄塔部材に用いるものであって、
可撓な研掃材搬送管と、前記研掃材搬送管の先端に取り付けられ、鋼管内面に向けて研掃材と圧縮空気を噴射する噴射ノズルとを有する鋼管内面のブラスト処理装置において、
前記噴射ノズルの先端部付近に添わせて取り付けられ、噴射ノズルから噴射される研掃材と圧縮空気が鋼管内面に衝突する位置をレーザー光線で照射する位置決め具と、
噴射ノズル挿入側の鋼管部材の端部に設置される噴射ノズル位置調整具と、
を備えており、
前記噴射ノズル位置調整具は、
鋼管部材の外側面に密着する形状に形成されている添え板と、
前記添え板と鋼管部材とを押圧して挟持する挟持具と、
前記添え板の一側面に固定されているガイド台と、
前記ガイド台の添え板が固定されている面と相対する面に立設固定されている複数のガイド棒と、
前記ガイド棒が挿通可能な孔が設けられ、該孔にガイド棒を挿通して設置される調整具と、
前記調整具に固定され、研掃材搬送管を把持する把持具と、
で構成されていること、
を特徴とする鋼管鉄塔部材のブラスト処理装置。
【請求項２】
端部に連結材が固定されている鋼管鉄塔部材に用いるものであって、
可撓な研掃材搬送管と、前記研掃材搬送管の先端に取り付けられ、鋼管内面に向けて研掃材と圧縮空気を噴射する噴射ノズルとを有する鋼管内面のブラスト処理装置を用いてブラスト処理する方法において、
レーザー光線を発する位置決め具を噴射ノズルの先端部付近に添わせて取り付ける工程と、
噴射ノズルを鋼管部材の一方の端部から挿入する工程と、
噴射ノズル挿入側の鋼管部材の端部に噴射ノズル位置調整具を設置する工程と、
によりブラスト処理装置を鋼管部材に設置し、
前記噴射ノズル位置調整具は、
一側面にガイド台が固定され、鋼管部材の外側面に密着する形状に形成されている添え板を、噴射ノズル挿入側の鋼管部材の端部の外側面に配置する工程と、
前記添え板と鋼管部材とを挟持具を用いて挟持して固定する工程と、
ガイド棒が挿通可能な孔が設けられた調整具を、前記ガイド台の表面に立設固定されている複数本のガイド棒に挿通して設置する工程と、
前記調整具に固定されている把持具で研掃材搬送管を把持する工程と、
により設置されており、
前記噴射ノズルから噴射される研掃材と圧縮空気が鋼管内面に衝突する位置を、前記位置決め具から鋼管内面に照射されるレーザー光線で確認し、噴射ノズル位置調整具の調整具をガイド棒に沿って移動させて、噴射ノズルの位置を所定の噴射位置になるように調整すること、
を特徴とする鋼管鉄塔部材のブラスト処理方法。
【発明の詳細な説明】
【技術分野】
【０００１】  本発明は、鋼管鉄塔の斜材および水平材の鋼管内面に発生した腐食を除去するためのブラスト処理方法およびブラスト処理装置に関するものである。
【背景技術】
【０００２】  一般に鋼管鉄塔は、縦方向に沿って配置される複数の主柱と、横方向に配置され、主柱同士を連結する複数の水平材と、主柱や水平材と傾斜するように配置され、主柱同士を連結する複数の斜材とを備えている。前記主柱は、両端にフランジ部を有する円筒状の鋼管で形成された主柱材を複数連設し、各主柱材のフランジ部同士をボルトナットで接合して構成されている。前記水平材および斜材は、鋼管端部の開口部にその直径方向に割込み挿入された連結材が、溶接等の手段により固定されている。前記連結材は、鋼管鉄塔の主柱材および水平材に設けられたガセットプレートとボルトナットで接合される。なお、鋼管鉄塔の部材には、防錆のため溶融亜鉛めっき処理が施されている。【０００３】  鋼管鉄塔の部材は、端部に開口部がある場合や継手部のフランジの合わせ面に間隙がある場合に、この開口部や間隙部を通じて鋼管の内部に空気が流通し、鋼管内面に結露が生じて、鋼管内面が腐食することがある。また、前記開口部や間隙部から雨水が鋼管内部に浸入して、鋼管内面が腐食することもある。【０００４】  前記主柱材，斜材および水平材の鋼管内面に腐食が生じた場合は、腐食部を除去して、補修塗装が行われている。一般に腐食部を除去するには、ワイヤーブラシ等の手工具，電動サンダー等の電動工具，またはブラスト処理装置等が用いられている。鋼管内面の場合は、鋼管の内部に作業者の手が入らないため、これらの手工具，電動工具またはブラスト処理装置等を備えた鋼管内面専用の補修装置を用いて腐食部を除去している。【０００５】  主柱材の鋼管内面に生じた腐食に対しては、主柱材上端の開口部から鋼管内面専用の補修装置をワイヤーで吊り下げて挿入し、砥石やブラシなどの研削体、または真空アークによって腐食部を除去する方法が提案されている（例えば、特許文献１および特許文献２参照。）。【０００６】  これに対して、水平材および斜材は、主柱材と比べて鋼管径が小さく、鋼管端部の開口部にその直径方向に割込み挿入された連結材が固定されていることから、主柱材に用いられる大掛かりな鋼管内面専用の補修装置を鋼管内部に挿入することができず、水平材および斜材の鋼管内面に生じた腐食を除去する有効な手段がないのが現状である。【０００７】  鋼管径の小さい鋼管部材の内面に生じた腐食を除去する方法としては、鋼管部材の一方の端部に吸引ブロワを接続し、もう一方の端部に研掃材搬送管を介して空気供給管を接続して、前記研掃材搬送管に研掃材を供給すると共に空気を補給し、前記吸引ブロワによる空気吸引作用によって研掃材搬送管から研掃材を空気と共に噴出させて、鋼管内面全体をブラスト処理する方法が提案されている（例えば、特許文献３および特許文献４参照。）。【０００８】  しかしながら、通常、鋼管内面の腐食は部分的に生じることから、前記空気吸引作用によるブラスト処理方法の場合、鋼管内面全体をブラスト処理するため、腐食部以外の健全部の亜鉛めっきも研掃されてしまい、部材の防錆機能が低下するという問題があった。【０００９】  鋼管内面の腐食部のみをブラスト処理する方法としては、先端に噴射ノズルを取り付けた研掃材搬送管を鋼管内部に挿入し、研掃材搬送管を支持装置により鋼管の中��に回転および前後動自由に支持して、噴射ノズルから研掃材と圧縮空気を共に噴出させて、鋼管内面をブラスト処理する方法が提案されている。なお、前記研掃材搬送管は、鋼管外部で研掃材搬送管を回転駆動させる回転駆動装置に接続されており、前記回転駆動装置に取り付けられている車輪により、鋼管外部の床面を走行可能としている。また、鋼管内部で研掃材搬送管を前記回転駆動装置と接続することで、鋼管内面を走行可能とすることもできる（例えば、特許文献５，特許文献６および特許文献７参照。）。【００１０】
【特許文献１】特開２００４−２８６１１４号公報
【特許文献２】特開２０１０−４６７３７号公報
【特許文献３】特開昭６０−２６３６７１号公報
【特許文献４】特開平６−２７００６５号公報
【特許文献５】特開昭５０−１１０１８４号公報
【特許文献６】特開昭５２−１３６４８９号公報
【特許文献７】特開平１−１８８２７０号公報
【発明の概要】
【発明が解決しようとする課題】
【００１１】  しかしながら、前記従来の鋼管内面の腐食部のみをブラスト処理する方法において、鋼管外部で研掃材搬送管を回転駆動装置と接続して、鋼管外部の床面を走行可能とした装置を用いる場合、鋼管鉄塔に昇塔した状態での作業では、車輪が取り付けられた回転駆動装置を走行させることができないという問題があった。【００１２】  また、前記従来の鋼管内面の腐食部のみをブラスト処理する方法において、鋼管内部で研掃材搬送管を回転駆動装置と接続して、鋼管内面を走行可能とした装置を用いる場合、水平材および斜材は鋼管径が小さく、鋼管端部の開口部にその直径方向に割込み挿入された連結材が固定されていることから、回転駆動装置を鋼管内部に挿入することができないという問題があった。【００１３】  したがって、鋼管鉄塔に昇塔した状態での作業では、前記回転駆動装置を使用せずに、研掃材搬送管を直接手で回転および前後動させて、噴射ノズルの位置を調整する必要がある。この場合、研掃材搬送管の先端に取り付けられた噴射ノズルを鋼管内面の腐食位置に合わせることと、研掃材と圧縮空気を噴射ノズルから噴出させながら、腐食部の大きさおよび形状に応じて噴射ノズルの位置を調整することが必要となるが、鋼管鉄塔に昇塔し足場が不安定な状態で噴射ノズルの位置を手動で調整することは難しく、また、研掃材搬送管を手動で鋼管部材の長手方向に真っ直ぐに前後動させることも難しいことから、作業に時間がかかるという問題があった。【００１４】  そこで、本発明の課題は、鋼管鉄塔の水平材および斜材の鋼管内面に生じた腐食を除去する場合に、鋼管鉄塔に昇塔し足場が不安定な状態であっても、噴射ノズルの位置の調整が容易にでき、ブラスト処理の作業性を向上させることができる鋼管鉄塔部材のブラスト処理方法およびブラスト処理装置を提供することにある。
【課題を解決するための手段】
【００１５】  上記の課題を解決するため、本発明の鋼管鉄塔部材のブラスト処理装置は、端部に連結材が固定されている鋼管鉄塔部材に用いるものであって、可撓な研掃材搬送管と、前記研掃材搬送管の先端に取り付けられ、鋼管内面に向けて研掃材と圧縮空気を噴射する噴射ノズルとを有する鋼管内面のブラスト処理装置において、前記噴射ノズルの先端部付近に添わせて取り付けられ、噴射ノズルから噴射される研掃材と圧縮空気が鋼管内面に衝突する位置をレーザー光線で照射する位置決め具と、噴射ノズル挿入側の鋼管部材の端部に設置される噴射ノズル位置調整具とを備えており、前記噴射ノズル位置調整具は、鋼管部材の外側面に密着する形状に形成されている添え板と、前記添え板と鋼管部材とを押圧して挟持する挟持具と、前記添え板の一側面に固定されているガイド台と、前記ガイド台の添え板が固定されている面と相対する面に立設固定されている複数のガイド棒と、前記ガイド棒が挿通可能な孔が設けられ、該孔にガイド棒を挿通して設置される調整具と、前記調整具に固定され、研掃材搬送管を把持する把持具とで構成されていることを特徴としている。【００１６】  また、本発明の鋼管鉄塔部材のブラスト処理方法は、端部に連結材が固定されている鋼管鉄塔部材に用いるものであって、可撓な研掃材搬送管と、前記研掃材搬送管の先端に取り付けられ、鋼管内面に向けて研掃材と圧縮空気を噴射する噴射ノズルとを有する鋼管内面のブラスト処理装置を用いてブラスト処理する方法において、レーザー光線を発する位置決め具を噴射ノズルの先端部付近に添わせて取り付ける工程と、噴射ノズルを鋼管部材の一方の端部から挿入する工程と、噴射ノズル挿入側の鋼管部材の端部に噴射ノズル位置調整具を設置する工程とによりブラスト処理装置を鋼管部材に設置し、前記噴射ノズル位置調整具は、一側面にガイド台が固定され、鋼管部材の外側面に密着する形状に形成されている添え板を、噴射ノズル挿入側の鋼管部材の端部の外側面に配置する工程と、前記添え板と鋼管部材とを挟持具を用いて挟持して固定する工程と、ガイド棒が挿通可能な孔が設けられた調整具を、前記ガイド台の表面に立設固定されている複数本のガイド棒に挿通して設置する工程と、前記調整具に固定されている把持具で研掃材搬送管を把持する工程とにより設置されており、前記噴射ノズルから噴射される研掃材と圧縮空気が鋼管内面に衝突する位置を、前記位置決め具から鋼管内面に照射されるレーザー光線で確認し、噴射ノズル位置調整具の調整具をガイド棒に沿って移動させて、噴射ノズルの位置を所定の噴射位置になるように調整することを特徴としている。
【発明の効果】
【００１７】  本発明の鋼管鉄塔部材のブラスト処理方法およびブラスト処理装置によれば、鋼管端部の開口部にその直径方向に割込み挿入された連結材が固定されている鋼管鉄塔部材（以下、「連結材を有する鋼管部材」と言う。）において、鋼管端部に設置された噴射ノズル位置調整具の調整具をガイド棒に沿って移動させることで、調整具に固定されている把持具を介して研掃材搬送管を鋼管部材の長手方向に真っ直ぐに前後動させて、噴射ノズルの位置を調整することができることから、鋼管鉄塔に昇塔し足場が不安定な状態であっても、噴射ノズルの位置の調整が容易にでき、ブラスト処理の作業性を向上させることができる。【００１８】  また、噴射ノズルから噴射される研掃材と圧縮空気が鋼管内面に衝突する位置を、位置決め具から鋼管内面に照射されるレーザー光線で確認しながら、噴射ノズルの位置を調整するため、鋼管鉄塔に昇塔し足場が不安定な状態であっても、噴射ノズルを鋼管内面の腐食位置に合わせることができ、さらに、研掃材と圧縮空気を噴射ノズルから噴出させながら、腐食部の大きさおよび形状に応じて噴射ノズルの位置を調整することができる。したがって、鋼管内面の腐食部のみを正確にブラスト処理することができることから、ブラスト処理作業にかかる時間を短縮することができる。
【図面の簡単な説明】
【００１９】
【図１】鋼管鉄塔の一例を示す正面図である。
【図２】鋼管鉄塔の下部付近を示す拡大正面図である。
【図３】水平材および斜材の鋼管端部の構造の一例を示す正面図である。
【図４】水平材および斜材の鋼管端部の構造の一例を示す側面図である。
【図５】本発明の鋼管鉄塔部材のブラスト処理装置の設置状態を示す側面図である。
【図６】図５のＡ−Ａ線から見た噴射ノズル位置調整具の設置状態を示す正面図である。
【図７】図６のＢ−Ｂ線から見た噴射ノズル位置調整具の設置状態を示す上面図である。
【図８】図６のＣ−Ｃ線から見た噴射ノズル位置調整具の設置状態を示す上面図である。
【図９】挟持具を示す正面図である。
【図１０】調整具および把持具を示す正面図である。
【図１１】回収装置を示す側面図である。
【図１２】鋼管部材内面の腐食調査装置の設置状況を示す側面図である。
【図１３】鋼管部材内面の腐食調査装置と本発明のブラスト処理装置の設置状態を示す側面図である。
【発明を実施するための形態】
【００２０】  以下、本発明の実施形態を、添付の図面を参照しながら詳細に説明する。
【００２１】  鋼管鉄塔の構成の一例として、図１に鋼管鉄塔の正面図、図２に鋼管鉄塔の下部付近の拡大正面図を示す。ここで、本発明の鋼管鉄塔部材のブラスト処理装置の各構成を説明するのに先立って、鋼管鉄塔１００について説明する。鋼管鉄塔１００は、地上から縦方向に沿って立設される鉄塔本体１１０と、鉄塔本体１１０から横方向に向けて突出する腕金１２０とを備えている。
【００２２】  鉄塔本体１１０は、縦方向に沿って配置され、鉄塔本体１１０の上端まで延びる主柱１１１，・・・を複数備える。そして、鉄塔本体１１０は、横方向に配置され、主柱１１１，１１１同士を連結する複数の水平材１１３，・・・と、主柱１１１や水平材１１３と傾斜するように配置され、主柱１１１，１１１同士を連結する複数の斜材１１４，・・・とを備えている。
【００２３】  各主柱１１１は、両端にフランジ部１１７，１１７を有する円筒状の鋼管で形成された主柱材１１２を複数連設し、鉛直方向に対して若干傾斜する方向（略鉛直方向）に沿って配置される各主柱材１１２が、フランジ部１１７，１１７同士をボルトナットで接合されて構成されている。
【００２４】  各腕金１２０は、鉄塔本体１１０から横方向に沿って突出する一対の腕金主材１２１，１２１を備える。また、各腕金１２０は、鉄塔本体１１０から突出し、腕金主材１２１と傾斜するように配置され、鉄塔本体１１０と腕金主材１２１の先端とを連結する一対の腕金吊材１２２，１２２または一対の腕金支材１２３，１２３を備えている。
【００２５】  図３は水平材および斜材の鋼管端部の構造の一例を示す正面図、図４は水平材および斜材の鋼管端部の構造の一例を示す側面図である。前記水平材１１３および斜材１１４は、鋼管端部の開口部にその直径方向に割込み挿入された連結材１１５が、溶接等の手段により固定されている。前記連結材１１５にはボルト孔が設けられており、主柱材１１２および水平材１１３に設けられたガセットプレート１１６とボルトナットで接合される。なお、水平材１１３および斜材１１４の鋼管端部の構造としては、Ｕ字プレート継手、Ｉ字プレート継手、Ｔ字プレート継手、十字プレート継手、溝形継手が一般に用いられている。図２，図３および図４では、Ｕ字プレート継手を鋼管端部の構造の一例として示している。このＵ字プレート継手の場合は、連結材１１５のＵ字状プレートの内側にガセットプレート１１６を挿入して、ボルトナットにより連結材１１５とガセットプレート１１６とを接合している。
【００２６】  次に、本発明の鋼管鉄塔部材のブラスト処理装置について説明する。本発明のブラスト処理装置１は、連結材１１５を有する鋼管部材１１３，１１４に用いるものであって、可撓な研掃材搬送管２と、前記研掃材搬送管２の先端に取り付けられ、鋼管内面に向けて研掃材と圧縮空気を噴射する噴射ノズル３と、前記噴射ノズル３の先端部付近に添わせて取り付けられ、研掃材と圧縮空気が鋼管内面に衝突する位置をレーザー光線で照射する位置決め具４と、噴射ノズル挿入側の鋼管部材１１３，１１４の端部に設置される噴射ノズル位置調整具５とを備えている。図５は本発明の鋼管鉄塔部材のブラスト処理装置１の設置状態を示す側面図、図６は図５のＡ−Ａ線から見た噴射ノズル位置調整具５の設置状態を示す正面図、図７は図６のＢ−Ｂ線から見た噴射ノズル位置調整具５の設置状態を示す上面図、図８は図６のＣ−Ｃ線から見た噴射ノズル位置調整具５の設置状態を示す上面図である。
【００２７】  前記研掃材搬送管２は、可撓性のある材料で、鋼管部材１１３，１１４端部の連結材１１５を除く開口部分に挿入可能な外径の管状体で形成されている。また、研掃材搬送管２は、鋼管内部に挿入する側の端部には、噴射ノズル３が取り付けられており、もう一方の端部には、鋼管部材１１３，１１４の外部で研掃材タンク６を介してコンプレッサー７に接続されている。
【００２８】  前記噴射ノズル３は、鋼管部材１１３，１１４端部の連結材１１５を除く開口部分に挿入可能な大きさで、噴射ノズル３先端の開口部が鋼管部材１１３，１１４の中心軸線に対して傾斜させた形状に形成されている。前記コンプレッサー７から送り出される圧縮空気は、前記研掃材タンク６で研掃材と混合され、研掃材と混合された圧縮空気は研掃材搬送管２を通じて噴射ノズル３に送られて、噴射ノズル３先端の開口部から噴射される。
【００２９】  前記噴射ノズル３の研掃材搬送管２との接続部付近には、噴射ノズル３を鋼管部材１１３，１１４の中心に保持し、研掃材と圧縮空気を噴射する時の反力を制御するために、複数の支持脚８が取り付けられている。前記支持脚８は、噴射ノズル３の研掃材搬送管２との接続部付近の外周に取り付けられ、支持脚８の先端が鋼管部材１１３，１１４の部材軸方向から鋼管部材１１３，１１４の半径方向に開閉可能に取り付けられている。なお、支持脚８は伸縮可能な構造とし、対象とする鋼管部材１１３，１１４のサイズに応じて調整可能としている。
【００３０】  前記位置決め具４には、レーザーポインターなどのレーザー光線を発する装置が用いられる。位置決め具４は、噴射ノズル３の先端部付近に添わせて取り付けられており、位置決め具４から発するレーザー光線は、噴射ノズル３から噴射される研掃材と圧縮空気が鋼管内面に衝突する位置を照射している。
【００３１】  前記噴射ノズル位置調整具５は、鋼管部材１１３，１１４の外側面に密着する形状に形成されている添え板９と、前記添え板９と鋼管部材１１３，１１４とを押圧して挟持する挟持具１０と、前記添え板９の一側面に固定されているガイド台１１と、前記ガイド台１１の添え板９が固定されている面と相対する面に立設固定されている複数のガイド棒１２と、前記ガイド棒１２が挿通可能な孔１３ａが設けられ、該孔１３ａにガイド棒１２を挿通して設置される調整具１３と、前記調整具１３の側面に固定され、研掃材搬送管２を把持する把持具１４とで構成されている。
【００３２】  前記添え板９は、鋼管部材１１３，１１４の外側面に密着する形状で、鋼管部材１１３，１１４端部の連結材１１５で分割された円弧部分に設置できる幅に形成されており、鋼管部材１１３，１１４の一方の端部の外側面に密着させて配置される。鋼管部材１１３，１１４の端部に配置された添え板９において、鋼管部材１１３，１１４の端部側に位置する側面には、板状のガイド台１１が溶接等の手段により固定されている。
【００３３】  図９は挟持具１０を示す平面図である。前記挟持具１０は、平面視において略Ｃ字形状を有する本体１５と、この本体１５に螺合する押圧ボルト１６で構成されている。前記本体１５は、所定間隔をおいて突出した２つの突出部１５ａ，１５ｂの内、一方の突出部１５ａに雄ネジが形成されてボルト挿通孔１８が設けられ、もう一方の突出部１５ｂに受面１７が設けられている。前記ボルト挿通孔１８には、先端を受面１７に向けた状態で、押圧ボルト１６の軸部１６ｂが螺合している。この挟持具１０は、本体１５の突出部１５ａに螺合した押圧ボルト１６の軸部１６ｂの先端が受面１７から遠ざかった状態で、突出部１５ａ，１５ｂの間の凹所を前記添え板９と鋼管部材１１３，１１４の側部に勘合させる。続いて、ボルトヘッド１６ａを介して押圧ボルト１６を回転駆動し、押圧ボルト１６の軸部１６ｂの先端を受面１７に近づけて、軸部１６ｂの先端部で添え板９の外側面を押圧することにより、添え板９と鋼管部材１１３，１１４を押圧ボルト１６の先端と受面１７とで挟持する。
【００３４】  前記添え板９に固定されているガイド台１１は、板状体で形成されており、添え板９が固定されている面と相対する面には、複数の丸棒状のガイド棒１２が鋼管部材１１３，１１４の部材軸方向と平行に立設固定されている。なお、図５から図８に示す実施形態では、ガイド棒１２をガイド台１１に２本設置した場合の例を示しているが、ガイド棒１２はガイド台１１に３本以上設置しても構わない。
【００３５】  図１０は調整具１３および把持具１０を示す正面図である。前記調整具１３は、板状体で形成されており、前記複数のガイド棒１２が挿通可能な挿通孔１３ａが設けられている。この調整具１３は、前記挿通孔１３ａにガイド棒１２を挿通し、ガイド棒１２に沿って移動可能に設置される。また、ガイド棒１２に設置された調整具１３には、鋼管端部の連結材１１５側に突出するようにして把持具１４が固定されている。
【００３６】  前記把持具１４は、図１０に示すように、研掃材搬送管２を保持するための開閉可能なバンド１９と、バンド１９を調整具１３に固定するための固定ボルト２０と、前記バンド１９の自由端に形成され、自由端同士をボルトナットで固定するための鍔部２１とを備えている。前記バンド１９は、平面視において略円形の弧状に形成されると共に上下二つ割りに形成されており、上側の上バンド部１９ａと下側の下バンド部１９ｂとが蝶番２２を介して回動自在に連結されることで開閉自在に形成されている。前記下バンド部１９ｂは、バンド１９が調整具１３に固定されるときに調整具１３に着座する着座部２３を有する。この着座部２３は、下バンド部１９ｂの下端部を屈曲して形成されており、下方に矩形状に突出すると共に下端を平坦に形成されている。前記鍔部２１は、上バンド部１９ａと下バンド部１９ｂの自由端側の端部に略径方向に延びて形成されており、上バンド部１９ａおよび下バンド部１９ｂの鍔部２１には、ボルトを挿通するためのボルト孔が設けられている。なお、図８および図１０に示す実施形態では、上バンド部１９ａと下バンド部１９ｂとが蝶番２２を介して開閉自在に形成される方式の把持具１４を示したが、上バンド部１９ａおよび下バンド部１９ｂの両端に鍔部２１を設け、上下バンド部１９ａ，１９ｂの両端の鍔部２１同士をボルトナットで固定する方式の把持具１４を用いても構わない。
【００３７】  図１１は回収装置２４を示す側面図である。前記噴射ノズル３挿入側の鋼管部材１１３，１１４端部と相対するもう一方の端部には、回収装置２４が設置される。この回収装置２４は、鋼管部材１１３，１１４の端部に設置されるホッパ２５と、回収タンク２６と、吸引ファン２７とを備えている。このように構成された回収装置２４により、噴射ノズル３から鋼管内面に噴射され、ホッパ２５に落下してきた使用済みの研掃材と鋼管内面から研削除去した物とを、吸引ファン２７の吸引力により回収タンク２６に回収する。
【００３８】  次に、上記構成のブラスト処理装置１を用いて、連結材１１５を有する鋼管部材１１３，１１４内面の腐食部をブラスト処理する方法について説明する。まず、ブラスト処理を行う前に、連結材１１５を有する鋼管部材１１３，１１４の内面の腐食状況の調査を行う。この鋼管内面の腐食状況の調査は、図１２に示すように、ファイバースコープ等の撮像装置１３１を、鋼管部材１１３，１１４端部の連結材１１５を除く開口部分から挿入し、鋼管部材１１３，１１４の外部に設置されている撮像装置１３１のモニタ装置１３２により、腐食状況を確認する。
【００３９】  連結材１１５を有する鋼管部材１１３，１１４の内面に腐食が生じていた場合は、上記構成のブラスト処理装置１を用いて、鋼管部材１１３，１１４の内面をブラスト処理して、腐食部を除去する。図１３は、鋼管部材１１３，１１４内面の腐食調査装置とブラスト処理装置１の設置状態を示す側面図である。
【００４０】  第１の工程では、ブラスト処理装置１を構成する研掃材搬送管２の一方の端部に噴射ノズル３を取り付け、もう一方の端部に研掃材タンク６を介してコンプレッサー７を接続する。前記噴射ノズル３の先端部付近には、位置決め具４を噴射ノズル３に添わせて取り付ける。
【００４１】  第２の工程では、位置決め具４が取り付けられた噴射ノズル３を、鋼管部材１１３，１１４端部の連結材１１５を除く開口部分の内、撮像装置１３１を挿入していない側の開口部分から、鋼管内部に挿入する。このとき、前記噴射ノズル３の研掃材搬送管２との接続部付近に取り付けられている複数の支持脚８を閉じた状態で挿入する。そして、前記噴射ノズル３の位置を、前記撮像装置１３１で撮影し前記モニタ装置１３２で確認しながら、噴射ノズル３を腐食部の付近まで移動させ、前記噴射ノズル３に取り付けられている複数の支持脚８  を開いた状態（鋼管部材１１３，１１４の半径方向に突出させた状態）にして、噴射ノズル３を鋼管部材１１３，１１４の中心に保持する。
【００４２】  第３の工程では、噴射ノズル３挿入側の鋼管部材１１３，１１４の端部に噴射ノズル位置調整具５を設置する。まず、噴射ノズル３挿入側の鋼管部材１１３，１１４端部の外側面に密着させるようにして添え板９を配置する。このとき、添え板９に固定されているガイド台１１が、鋼管部材１１３，１１４の端部側に位置するように配置する。
【００４３】  次に、前記添え板９と鋼管部材１１３，１１４とを挟持具１０を用いて挟持して固定する。まず、挟持具１０の本体１５の突出部１５ａに螺合した押圧ボルト１６の軸部１６ｂの先端が受面１７から遠ざかった状態で、突出部１５ａ，１５ｂの間の凹所を前記添え板９と鋼管部材１１３，１１４の側部に勘合させる。続いて、ボルトヘッド１６ａを介して押圧ボルト１６を回転駆動し、押圧ボルト１６の軸部１６ｂの先端を受面１７に近づけて、軸部１６ｂの先端部で添え板９の外側面を押圧することにより、添え板９と鋼管部材１１３，１１４を押圧ボルト１６の先端と受面１７とで挟持して、添え板９と鋼管部材１１３，１１４を固定する。
【００４４】  次に、前記ガイド台１１に立設固定されているガイド棒１２に、調整具１３の挿通孔１３ａを挿通させて、調整具１３をガイド棒１２に沿って移動可能に設置する。前記調整具１３には、把持具１４が取り付けられており、把持具１４を構成する下バンド部１９ｂの着座部２３下端の平坦部を調整具１３に接するようにして配置して、下バンド部１９ｂの着座部２３と調整具１３とを固定ボルト２０で固定することで、把持部１４が調整具１３に固定される。次に、把持部１４の上下のバンド部１９ａ，１９ｂで研掃材搬送管２を挟み込み、上下バンド１９ａ，１９ｂの鍔部２１，２１同士をボルトナットで固定することで、研掃材搬送管２を把持する。これにより、調整具１３をガイド棒１２に沿って移動させることで、調整具１３に固定された把持具１４を介して研掃材搬送管２を鋼管部材１１３，１１４の部材軸方向に移動させることができ、研掃材搬送管２の先端に取り付けられている噴射ノズル３の噴射位置の調整を行うことができる。
【００４５】  第４の工程では、前記噴射ノズル３挿入側の鋼管部材１１３，１１４の端部と相対するもう一方の端部に、回収装置２４を設置する。この回収装置２４は、鋼管部材１１３，１１４の端部にホッパ２５を設置し、前記ホッパ２５を回収タンク２６に接続し、前記回収タンク２６を吸引ファン２７に接続して、鋼管端部に設置される。
【００４６】  以上の工程で設置されたブラスト処理装置１を用いて、鋼管部材１１３，１１４内面の腐食部をブラスト処理する。まず、噴射ノズル３に取り付けられた位置決め具４から鋼管内面に向けてレーザー光線を照射する。鋼管内面に照射されたレーザー光線の位置を、鋼管内部に挿入された撮像装置１３１で撮影し、鋼管部材１１３，１１４の外部に設置されているモニタ装置１３２で確認しながら、前記噴射ノズル位置調整具５の調整具１３をガイド棒１２に沿って移動させて、噴射ノズル３から噴射される研掃材と圧縮空気が鋼管内面に衝突する位置を腐食位置に合わせる。
【００４７】  次に、コンプレッサー７から圧縮空気を送り出して、研掃材タンク６で研掃材と混合し、研掃材と混合された圧縮空気を、研掃材搬送管２を通じて噴射ノズル３に送り、噴射ノズル３先端の開口部から噴射させる。このとき、位置決め具４から鋼管内面に照射されるレーザー光線の位置を、前記撮像装置１３１で撮影し前記モニタ装置１３２で確認しながら、研掃材と圧縮空気を噴射ノズル３から噴出させた状態で、腐食部の大きさおよび形状に応じて、前記噴射ノズル位置調整具５の調整具１３をガイド棒１２に沿って移動させて、噴射ノズル３の位置を調整して腐食部を研掃する。なお、噴射ノズル３を鋼管部材の部材軸に対して回転させる場合は、掃材搬送管２を手動で回転させることで、噴射ノズル３の先端を鋼管部材１１３，１１４の部材軸に対して回転させることができる。
【００４８】  噴射ノズル３から鋼管内面に噴射され、ホッパ２５に落下してきた使用済みの研掃材と鋼管内面から研削除去した物は、吸引ファン２７の吸引力により回収タンク２６に回収される。
【００４９】  上記の鋼管鉄塔部材のブラスト処理方法およびブラスト処理装置１によれば、連結材１１５を有する鋼管部材１１３，１１４において、鋼管端部に設置された噴射ノズル位置調整具５の調整具１３をガイド棒１２に沿って移動させることで、調整具１３に固定されている把持具１４を介して研掃材搬送管２を鋼管部材１１３，１１４の長手方向に真っ直ぐに前後動させて、噴射ノズル３の位置を調整することができることから、鋼管鉄塔１００に昇塔し足場が不安定な状態であっても、噴射ノズル３の位置の調整が容易にでき、ブラスト処理の作業性を向上させることができる。
【００５０】  また、噴射ノズル３から噴射される研掃材と圧縮空気が鋼管内面に衝突する位置を、前記位置決め具４から鋼管内面に照射されるレーザー光線で確認しながら、噴射ノズル３の位置の調整するため、鋼管鉄塔１００に昇塔し足場が不安定な状態であっても、噴射ノズル３を鋼管内面の腐食位置に合わせることができ、さらに、研掃材と圧縮空気を噴射ノズル３から噴出させながら、腐食部の大きさおよび形状に応じて噴射ノズル３の位置を調整することができる。したがって、鋼管内面の腐食部のみを正確にブラスト処理することができ、ブラスト処理の作業にかかる時間を短縮することができる。
【符号の説明】
【００５１】    １    ブラスト処理装置
２    研掃材搬送管
３    噴射ノズル
４    位置決め具
５    噴射ノズル位置調整具
６    研掃材タンク
７    コンプレッサー
８    支持脚
９    添え板
１０    挟持具
１１    ガイド台
１２    ガイド棒
１３    調整具
１３ａ  挿通孔
１４    把持具
１５    本体
１５ａ  ボルト挿通孔が設けられている突出部
１５ｂ  受面が設けられている突出部
１６    押圧ボルト
１６ａ  ボルトヘッド
１６ｂ  軸部
１７    受面
１８    ボルト挿通孔
１９    バンド
１９ａ  上バンド部
１９ｂ  下バンド部
２０    固定ボルト
２１    鍔部
２２    蝶番
２３    着座部
２４    回収装置
２５    ホッパ
２６    回収タンク
２７    吸引ファン
１００    鋼管鉄塔
１１０    鉄塔本体
１１１    主柱
１１２    主柱材
１１３    水平材
１１４    斜材
１１５    連結材
１１６    ガセットプレート
１１７    フランジ部
１２０    腕金
１２１    腕金主材
１２２    腕金吊材
１２３    腕金支材
１３１    撮像装置
１３２    モニタ装置
【図１】
0006402858.tif 000002
【図２】
0006402858.tif 000003
【図３】
0006402858.tif 000004
【図４】
0006402858.tif 000005
【図５】
0006402858.tif 000006
【図６】
0006402858.tif 000007
【図７】
0006402858.tif 000008
【図８】
0006402858.tif 000009
【図９】
0006402858.tif 000010
【図１０】
0006402858.tif 000011
【図１１】
0006402858.tif 000012
【図１２】
0006402858.tif 000013
【図１３】
0006402858.tif 000014